(57)【要約】【課題】僅かな回転で多様な開栓表示の発現性が得られるＴＥバンド不要でかつ開栓されたことが確実に表示できる容器を提供する。【解決手段】回転により開栓する容器において、キャップの円筒状スカート壁２２に回転方向に交差する方向に平行で内側を視認できる透明平行縞３３を形成し、内蓋１もしくは容器口部の円筒状壁の透視可能領域には透明平行縞の幅と同じか広い幅の範囲で印刷されている潜像線画４３を形成して、キャップ１０を内蓋に対して回動させることによって、透視部３１に潜像４３を表示する表示発現手段を設けた。【選択図】図３
2014196118.tif 000002
【特許請求の範囲】
【請求項１】
円筒状壁を有する内蓋もしくは容器口部と、該内蓋もしくは容器口部の外側に回転可能に嵌着された円筒状スカート壁を有するキャップとを有する容器において、
前記キャップは前記円筒状スカート壁に内側を視認できる１乃至複数の透視部を有し、前記透視部には透明な透明平行縞と不透明な平行縞を交互に連続して有し、それぞれの縞は、回転方向と交差する平行縞であり、前記透明平行縞の幅は前記不透明な平行縞の幅と同じか狭く、
前記円筒状壁は、前記透視部に対向する円筒状スカート壁の内側に前記透明平行縞を通して見ることが出来る透視可能領域を有し、該透視可能領域には前記透明平行縞と同じか広い幅で、かつ、不透明の平行縞と同じか狭い幅の縞で構成されている潜像線画が少なくとも１種類形成されており、
前記円筒状スカート壁を回転させることによって潜像線画で構成された潜像を前記透明平行縞から出現させる表示発現手段を備えていることを特徴とする容器。
【請求項２】
前記内蓋もしくは容器口部と前記キャップとは、開栓動作の最初は前記キャップだけが回転し、所定位置で前記キャップと内蓋もしくは容器口部が回動に対して一体化し、以後は前記キャップが内蓋もしくは容器口部に対して回転することを阻止した不可逆構造となっており、該キャップを回転させると開栓表示を前記透視部の透明平行縞から発現するタンパーエビデント機能を奏する請求項１に記載の容器。
【請求項３】
前記不可逆構造は、前記内蓋もしくは容器口部の外周部に配置された周方向両端面が係止面となっている係止凸部と、該係止凸部から開栓方向に所定角度離れて配置され開栓方向端面が開栓方向回転に対して揺動可能となっている係止フラップの組合せからなる内側係止手段と、前記円筒状スカート壁の内周部に配置され、開栓方向の回転に対して前記係止凸部の閉栓方向端面の係止面と係合する係止面を有する第２係合突起と、閉栓方向の回転に対して前記係止フラップの端面と係合する第１係合突起の組み合わせからなる外側係止手段からなる請求項２に記載の容器。
【請求項４】
前記円筒状スカート壁は、透明又は半透明樹脂材料で形成され、前記平行縞が前記透視部に直接印刷又は透明樹脂フィルムに印刷されて貼付形成されている請求項１〜３のいずれかに記載の容器。
【請求項５】
前記キャップの円筒状スカート壁は、非透明材料で形成され、前記透視部に窓孔が形成され、該窓孔を遮蔽して前記平行縞が印刷された透明フィルムが貼付されている構成１〜４のいずれかに記載の容器。
【請求項６】
前記潜像には、エンターティメント情報を 含んでいる請求項１〜５の何れかに記載の容器。
【発明の詳細な説明】
【技術分野】
【０００１】
本発明は、回転することによって開封されるキャップと容器本体の組合せからなる容器に関する。
【背景技術】
【０００２】
従来、容器を開封したときにキャップの頂面に開封したことを示す表示が出現する構造のキャップが提案されている（例えば、特許文献１、２）。また、キャップの外蓋の側壁に表示窓を設け、かつ該表示窓と対応する位置に内容物を表示する表示部を設けた容器の蓋が提案されている（文献３）。一方、キャップの加飾性を高める手段として、外蓋の上面部に、多数の線による外側デザインパターンが設けられた透明外側プレートを備えると共に、内蓋の上面部に、内側デザインパターンが設けられた内側プレートを備え、透明外側プレートと内側プレートとが相対的に回転スライドすることによりモアレ画像が生じ、モアレ画像の変化を楽しむようにした可変模様蓋が提供されている（文献４）。
これらの従来技術のうち、特許文献１、２、３のものは加飾性に劣ると共に、文字等を表示させるためにはキャップの回転角度を大きくしなければならない欠点があり、特許文献４のものはモアレ現象により加飾性を高めているが、キャップの開閉とは関連性がなく、また特定情報の表示性に欠けるという欠点がある。
【０００３】
一方、従来ネジ付きキャップで密封した容器の流通段階での未開封を保証するタンパーエビデント（以下、単にＴＥという。）性を得る手段として、スカート壁の下端に弱化部を介してＴＥバンドを設け、開栓に際して弱化部が破断してキャップ本体のスカート壁からＴＥバンドが分離されることによって、開栓されたことが判別できるようにしているものが広く採用されている。しかしながら、樹脂キャップの場合、キャップ本体とＴＥバンドとの軸方向間隔が狭いため開栓後にリシールしても弱化部が破断されているか否か目視でわかり難い場合がある。また、開栓に際しては前記弱化部を破断するための余分なトルクを必要とし、高齢者や子供等の力の弱い方には開けがたいと言う問題点があった。
【０００４】
前記特許文献１のように密封状態から外キャップを弛め方向に回すと、外キャップの天面壁に穿設した窓孔内に開栓を表示する開マークが出現するものは、開マークを確実に目立つように表示させるには外蓋の回転角度を大きくしなければならず、場合によっては初期ブレークが起きても目立つ表示ができなかったという欠点があり、ＴＥ性が十分でなかった。また、特許文献４に示すようなキャップの天面に設けた外側表示面と内側表示面の回転による相対的ずれによってモアレ画像を生じさせるのは、回転半径によってずれ量が相違するため、文字等の特定情報を出現させることは困難であるという問題点がある。
【先行技術文献】
【特許文献】
【０００５】
【特許文献１】特開平０９−１２４０６０公報
【特許文献２】実開昭６３−１７０５７号公報
【特許文献３】実開昭５６−１０３４５５号公報
【特許文献４】実開２００３−１１８７６３号公報
【発明の概要】
【発明が解決しようとする課題】
【０００６】
そこで、本発明は、キャップの回転により内側にある文字や絵柄等の潜像を出現させ、該潜像に特定の情報を表示させると共にキャップの加飾性を高めることができる容器を提供することを第１の目的とし、且つ僅かな回転で開栓されたことが確実に表示されてＴＥ性に優れ、多様な開栓表示の発現性が得られる回転によって開封される容器を提供することを第２の目的とする。
【課題を解決するための手段】
【０００７】
本発明者は、上記課題を解決する研究において、キャップのわずかな回転でキャップ側面に判別可能な新たな情報を出現させる手段として、モアレ現象を利用することが有効であることに着目した。
即ち、上記課題を達成する請求項１に係る発明の容器は、円筒状壁を有する内蓋もしくは容器口部と、該内蓋もしくは容器口部の外側に回転可能に嵌着された円筒状スカート壁を有するキャップとを有する容器において、
前記キャップは前記円筒状スカート壁に内側を視認できる１乃至複数の透視部を有し、前記透視部には透明な透明平行縞と不透明な平行縞を交互に連続して有し、それぞれの縞は、回転方向と交差する平行縞であり、前記透明平行縞の幅は前記不透明な平行縞の幅と同じか狭く、
前記円筒状壁は、前記透視部に対向する円筒状スカート壁の内側に前記透明平行縞を通して見ることが出来る透視可能領域を有し、該透視可能領域には前記透明平行縞と同じか広い幅で、かつ、不透明の平行縞と同じか狭い幅の縞で構成されている潜像線画が少なくとも１種類形成されており、
前記円筒状スカート壁を回転させることによって潜像線画で構成された潜像を前記透明平行縞から出現させる表示発現手段を備えていることを特徴とするものである。
【０００８】
請求項２に係る発明は、請求項１に記載の容器において、前記内蓋もしくは容器口部と前記キャップとは、開栓動作の最初は前記キャップだけが回転し、所定位置で前記キャップと内蓋もしくは容器口部が回動に対して一体化し、以後は前記キャップが内蓋もしくは容器口部に対して回転することを阻止した不可逆構造となっており、該キャップを回転さると開栓表示を前記透視部の透明平行縞から発現するタンパーエビデント機能を奏することを特徴とするものである。
請求項３に係る発明は、請求項２に記載の容器において、前記不可逆構造は、前記内蓋もしくは容器口部の外周部に配置された周方向両端面が係止面となっている係止凸部と、該係止凸部から開栓方向に所定角度離れて配置され開栓方向端面が開栓方向回転に対して揺動可能となっている係止フラップの組合せからなる内側係止手段と、前記円筒状スカート壁の内周部に配置され、開栓方向の回転に対して前記係止凸部の閉栓方向端面の係止面と係合する係止面を有する第２係合突起と、閉栓方向の回転に対して前記係止フラップの端面と係合する第１係合突起の組み合わせからなる外側係止手段からなることを特徴とするものである。
前記キャップの円筒状スカート壁は、非透明材料で形成され、前記透視部に窓孔が形成され、該窓孔を遮蔽して前記平行縞が印刷された透明フィルムが貼付されている
【０００９】
請求項４に係る発明は、請求項１〜３のいずれかに記載の容器において、前記円筒状スカート壁は、透明又は半透明樹脂材料で形成され、前記平行縞が前記透視部に直接印刷又は透明樹脂フィルムに印刷されて貼付形成されていることを特徴とするものである。
請求項５に係る発明は、請求項１〜４のいずれかに記載の容器において、前記キャップの円筒状スカート壁は、非透明材料で形成され、前記透視部に窓孔が形成され、該窓孔を遮蔽して前記平行縞が印刷された透明フィルムが貼付されていることを特徴とするものである。
請求項６に係る発明は、請求項１−５の何れかに記載の容器において、前記潜像には、エンターティメント情報を含んでいることを特徴とするものである。
【発明の効果】
【００１０】
請求項１の発明によれば、表示発現手段をキャップの円筒状スカート壁と、その内側に位置する相対回転可能な円筒状壁の外面に設けたので、表示発現手段が天面に有る場合と比べ、表示発現手段の位置が径方向に外側であり、回転方向に垂直な平行縞を形成した場合には、平行縞の幅が同じでも小さな角度で移動させることが出来、キャップを内蓋もしくは容器口部に対して僅かに回転させるだけで潜像である文字や図柄を顕在化させることができる。
また、回転方向に交差さえすれば良いので、垂直に交差するような回転方向から遠い角度の平行縞では、小さい回転角度で潜像が発現し、また回転方向に近い角度の平行縞を形成すると、平行縞の境界から境界までの回転方向の距離が広くなるので潜像が顕在化する回転角度を広くすることもでき、表示発現を急がないときはそのように構成すると発現までの角度を広く取ることもできる。
また、表示発現手段は、キャップの円筒状スカート壁と、スカート壁の内側に対向して位置する内蓋もしくは容器口部の円筒状壁に設けることができるので、特別な構成部材を付加することなく形成することができ、構成が簡単であると共に、小売店で冷蔵庫に陳列した時に見えやすいスカート壁外周面に文字や絵を表示させることができ、斬新でデザイン性に優れている。
【００１１】
請求項２の発明によれば、開栓動作の最初はキャップだけが回転し、所定位置で前記キャップと内蓋もしくは容器口部が回動に対して一体化し、以後は前記キャップが内蓋もしくは容器口部に対して回転することを阻止した不可逆構造となっているので、キャップを内蓋もしくは容器口部に対して回転させることにより出現し、出現後は元の状態に復帰できない前記潜像を、従来のＴＥバンドに代える開栓表示発現手段として利用することにより、確実なＴＥ性を得て、かつ、ＴＥバンドとつなぐ弱化部を破断するトルクを発生させないことができる。
【００１２】
さらに、前記不可逆構造を請求項３に記載の構成にすることにより、より確実なＴＥ性を得ることが可能となる。
【００１３】
そして、表示発現手段として、請求項４の前記キャップの円筒状スカート壁が透明又は半透明樹脂材料で形成されている構成によれば、前記平行縞が前記円筒状スカート壁の裏面又は表面に、直接印刷又は透明樹脂フィルムに印刷されて形成されている構成を採用できる。さらに請求項５に記載の前記円筒状スカート壁が非透明材料で形成されている構成によれば、円筒状スカート壁の前記透視部に窓孔が形成され、該窓孔を遮蔽して前記平行縞が印刷された透明フィルムを貼付する構成を採用できるので、必ずしも透明な樹脂キャップに限らず、不透明な樹脂材料あるいは、金属材料からなるキャップにも容易に適用できる。
さらに、請求項６に記載の構成によれば、表示発現手段によって発現する潜像である文字や絵には、開栓されたことを明示する表示に限らず、福引や占いあるいは漫画等他のエンターティメント情報の表示あるいはその組合せ等を任意に採用することによって、単にＴＥ性のみならずエンターティメント性に富んだ容器を得ることができる。
【図面の簡単な説明】
【００１４】
【図１】本発明の一実施形態に係る容器の要部縦断面図である。
【図２】図１に示す容器におけるＡ−Ａ断面矢視図であり、（ａ）は開栓前の密封状態、（ｂ）は（ａ）の状態から外蓋を開栓方向に回転した開栓後の状態を示す。
【図３】本発明におけるキャップの開栓表示発現手段の実施形態を示し、（ａ）は未開栓状態での外蓋の透視部を示す正面図であり、（ｂ）は（ａ）の状態から所定角度回転させて開栓表示が出現している状態を示す正面図である。
【図４】図３に示す実施形態における開栓表示発現手段の説明図であり、（１−ａ）はキャップ側面の透視部に形成された平行縞、（１−ｂ）は内蓋の筒壁の透視可能領域に形成された潜像線画、（１−ｃ）は閉栓状態からキャップを回転し始めた状態での透視部の状態、（１−ｄ）は（ｃ）の状態からさらに回転させて透視部に開栓表示が完全に出現している状態をそれぞれ示している。また、（２−ａ）〜（２−ｄ）は、前記潜像を「あたり」とした場合を同様に示している。
【図５】本発明の他の実施形態に係る容器の要部断面図である。
【図６】本発明のさらに他の実施形態に係る容器の要部断面図である。
【発明を実施するための形態】
【００１５】
以下、本発明に係る回転により開封するキャップと容器本体との組合せからなる容器の実施形態を図面を基に詳細に説明する。
図１〜図３に示す実施形態では、内蓋とキャップとの相対回転により出現する文字や図柄の表示発現手段をキャップの開封表示手段に適用した場合を示し、まず、本実施形態のキャップの不可逆構造を図１及び図２により説明する。
図１は、本発明の一実施形態に係るネジ付きの内蓋１とキャップ１０をボトル等の容器本体６０のボトル口６１に装着した状態での要部断面図である。本実施形態に係る内蓋１とキャップ１０は、合成樹脂製キャップであり、内蓋１の円筒状壁１１の内周面に容器口に形成された雄ネジ６２と螺合する雌ネジ１７が形成されている。そして、円筒状壁１１の外周面には、後述するキャップ１０との間で不可逆構造を形成するための係止凸部１５及び係止フラップ１６が形成されている。また、円筒状壁１１の外周部にはキャップ１０が上方に抜けるのを阻止するための軸方向係止突起１４が設けられている。図中、１８はインナーリングである。
なお、上記実施形態では内蓋の内周面に雌ネジを形成した場合であるが、雌ネジに代えてラグ等の凸部を形成して回転開栓可能にしてもよい。
【００１６】
一方、キャップ１０は、内蓋１の外周部を覆うように嵌合するカップ形状を呈し、円形天面壁２１と円筒状スカート壁２２とからなり、円筒状スカート壁２２の内周面には後述するキャップ１０側の不可逆構造を形成するための第１係合突起及び第２係合突起が形成されていると共に、下方部には内蓋の軸方向係止突起１４と係合する軸方向係合突起２３が形成されている。また、円筒状スカート壁２２の外周部には、グリップ性を向上させるためのナール２４（図３）が適宜形成されている。
【００１７】
内蓋１に対するキャップ１０の前記不可逆構造は、図１及び図２に示すように、円筒状壁１１と円筒状スカート壁２２のそれぞれ上方部間に設けられ、内側係止手段と外側係止手段とから構成されている。内側係止手段は、円筒状壁１１の外周部に周方向両端面が係止面１５１、１５２となっている係止凸部１５と、該係止凸部１５から開栓方向に所定間隔離れて配置され開栓方向端面がキャップ１０の第１係合突起２５の開栓方向回転に対して揺動可能となっている係止フラップ１６の組合せからなっている。係止フラップ１６は、図２に明示するように、円筒状壁１１の外周部から基部１６１が突出し、先端が開栓方向に向けて弾性変形可能に傾斜して伸び、その先端が後述するキャップの第１係合突起２５の係止面２５１と衝合する係止面１６２となっている。
【００１８】
一方、外側係止手段は、円筒状スカート壁２２の内周部に配置され、キャップの開栓方向の回転に対して係止凸部１５の閉栓方向の係止面１５１と係合する係止面２６２を有する第２係合突起２６と、閉栓方向の回転に対して内蓋の係止フラップ１６の係止面１６２と係合する係止面２５１を有する第１係合突起２５の組合せから構成されている。前記第１係合突起２５は閉栓方向端面が係止面２５１となり、その反対側端面２５２は係止フラップ１６を乗越えるようにテーパー状に形成されている。逆に、第２係合突起２６は、閉栓方向端面２６１がテーパー状に形成され、開栓方向端面が係止面２６２となっている。
【００１９】
前記第１係合突起２５の係止面２５１とその開栓方向に隣接する第２係合突起２６の係止面２６２との周方向ピッチは、内蓋１の係止フラップ１６の係止面１６２とその開栓方向に隣接する係止凸部１５の閉栓側の係止面１５１との周方向ピッチと等しく形成され、且つ第１係合突起２５の係止面２５１と閉栓方向に隣接する第２係合突起２６の係止面２６２との周方向ピッチと、係止フラップ１６の係止面１６２とその閉栓方向に隣接する係止凸部１５の閉栓方向の係止面１５１との周方向ピッチが等しく形成されている。
なお、上記実施形態では、内側係止手段が円筒状壁外周面にあり、外側係止手段が円筒状スカート壁内周面にある場合を示しているが、前記内側係止手段が内蓋頂壁上面の外周側にあり、前記外側係止手段をキャップ天面下面の外周側に形成することも可能であり、上記実施形態に限るものではない。
【００２０】
本実施形態における不可逆構造は、以上のように形成され、未開栓状態である図２（ａ）の状態からキャップ１０を開栓方向に回転させると、キャップ１０の第２係合突起２６の係止面２６２が係止凸部１５の係止面１５１に衝合するまで、外蓋のみが回転する。その間、外蓋の第１係合突起２５のテーパー面が係止フラップ１６を押圧して乗越えると、同図（ｂ）に示すように係止フラップ１６が弾性復元して、その係止面１６２が第１係合突起２５の係止面２５１と係止する。したがって、その状態では、第２係合突起２６の係止面２６２は係止凸部１５の係止面１５１と係止し、第１係合突起２５の係止面２５１は係止フラップ１６の係止面１６２と係止しているので、その後の開栓方向及び閉栓方向への回転は、キャップ１０と内蓋が一体に回転する。よって、上蓋を逆回転させても、図２（ａ）に示す開栓前の状態に復帰することはできない。
【００２１】
次に、本実施形態における開封表示発現手段の基本的形態について、図３〜図４により説明する。
図３（ａ）は、図１に示す透明又は半透明材料で形成されたキャップ１０の円筒状スカート壁２２の透視部３１に形成された顕像化用線画である平行縞を示すキャップ正面図であり、キャップ１０の少なくとも円筒状スカート壁２２が透明又は半透明材料で形成されている場合、該円筒状スカート壁２２の外周部に、ナール２４が存在しない円弧状外周面を形成し、内蓋１の円筒状壁１１が透視可能になっている透視部３１を１個又は所定間隔で複数個形成してある。該透視部３１に図３（ａ）及び図４（１−ａ）に示すような、顕像化用線画としてキャップ１０の回転方向と交差する方向に平行に延びる平行縞３２が等間隔に形成され、平行縞間は平行縞の幅と同じか平行縞幅より狭い間隔の透明平行縞３３となって連続に形成されている。
【００２２】
透視部３１の平行縞３２は、キャップ１０が透明又は半透明材料で形成され、内蓋の筒壁外周面が視認できれば、該透視部の表面又は内側面に平行縞３２を直接印刷により形成するか、又は透明フィルムに平行縞を印刷して透視部の表面又は内側面に貼付することによって形成することができる。しかしながら、キャップ１０が後述するように非透明材料で形成されている場合は、該透視部をくり抜いた窓孔として、該窓孔を覆って内側又は外側に透明フィルムに印刷された顕像化線画としての平行縞３２を貼付する。または、透明平行縞自体をくり抜いた複数の開口窓としても良い。
【００２３】
一方、内蓋１の円筒状壁１１の外周面には、該キャップを回転させる前から回転時に透明平行縞を通して視認できる範囲の透視可能領域４１に潜像線画４３が印刷により形成されている。図４（１−ｂ）は内蓋の円筒状壁外周面の透視可能領域４１に形成された潜像線画４３の一例を示し、該潜像線画４３は「開」の文字を、キャップの透視部３１に形成された平行縞３２とぴったり重ねて位置させ、図３（ａ）に示すように未開封状態では潜像線画と平行縞が重なった状態で、図４（ａ）と同様な状態となり判読できないようになっている。
【００２４】
なお、この実施形態では、潜像線画４３は平行縞とぴったり重なった状態で形成され、そのように完全に重なった状態から僅かに回転させることによって図４（１−ｃ）に示すように次第に潜像線画が表れて、さらに回転させることによって内蓋の潜像線画がキャップの透明平行縞部分に表れて同図（１−ｄ）に示すように「開」文字が明確に現出するようにしている。本実施形態では、平行縞と透明平行縞と潜像線画は同じ幅で構成されているが、例えば平行縞で隠される範囲は３ｍｍの幅で透明平行縞は１ｍｍの幅で潜像線画は２ｍｍの幅の縞で構成されていると、４ｍｍの幅に２種類の図柄を入れることができ、潜像線画の幅を１ｍｍとすると、４ｍｍの幅に４種類の潜像を入れることが出来、相対的に４ｍｍ以上動かすことで、４種類の図柄の表示を楽しむことが出来る。潜像線画は１種類とし、３ｍｍは白無地とすれば２ｍｍの余裕が出来るので、潜像線画を隠すための位置合わせがより容易となる。平行縞は２ｍｍとし、透明平行縞を２ｍｍとすれば、表示部が大きくなり、より美しく表示することができる。
このように平行縞は潜像線画を隠すため、潜像線画と同じか広い幅の縞で構成され、透明平行縞は潜像線画を表示するため、潜像線画と同じか狭い幅を有する。もし透明平行縞より潜像線画の幅の方が狭いと、透明平行縞からは１種類の潜像以外の他の部分が表示され美しく表示することが出来ない。
【００２５】
また、上記実施形態では潜像線画及び平行縞を直接内蓋及びキャップに印刷してある場合について説明したが、これらをフィルム（キャップに対しては少なくとも透明フィルム）に印刷して貼付してもよい。
また、キャップ１０の平行縞は、表面ではスカート壁の厚みの関係で斜めから見た時に潜像線画と平行縞とにずれが生じる可能性があるので、内面の方が好ましいが、円筒状スカート壁の裏面に限らず、衛生面の問題や印刷機の能力を考え外面でもよい。なお、上記実施形態では潜像線画を開封されたことを示す「開」の文字が出現するようにしたが、例えば図４の（２−ａ）〜（２−ｄ）に示すように「あたり」を示す文字を表示することによって福引機能を付加することができ、種々のエンターティメント情報を任意に表示することが可能となる。
【００２６】
本実施例の開栓表示発現手段は、以上のように形成され、未開封状態では、理想的には図３（ａ）に示すように、キャップの円筒状スカート壁２２には平行縞により開封表示は隠れて見えないが、キャップを図２（ａ）及び図３（ａ）に示す状態から開栓方向に僅かに回転させることにより、キャップ１０の透視部に設けられた平行縞３２が内蓋１に施された潜像線画４３とずれて図４（１−ｃ）を経て（１−ｄ）に示すように潜像線画が表れて「開」の文字が顕著に出現し、図３（ｂ）に示すよう開栓されたことが一目で判断できる。特に本実施形態では、平行縞や潜像線画を回転方向と交差して垂直線状に形成しているので、内蓋に形成されている潜像を落下衝撃のような僅かなずれでも明確に画像として表示することが可能である。また、回転方向と平行に近い角度の平行縞で表示発現手段を構成した場合には縞の回転方向の幅が縞の幅より大きくなるので、潜像が表示されるまでの回転角度を大きく調整することが可能となる。
そして、不可逆機構を備えた場合には、開封のための回転を開始してから、第１係合突起２５が内蓋の係止フラップ１６を乗り越え、且つ第２係合突起の係止面２６２が内蓋の係止凸部１５の係止面１５１に衝合するまでは、内蓋１は回転せずにキャップ１０のみが回転する。したがって、それまでは容器の密封は破壊されずに密封状態を保つ。不可逆機構が固定された時、開栓表示発現手段が潜像を発現させる。その後キャップを閉栓方向に回転させようとしても係止フラップ１６と第１係合突起２５との係止により、内蓋も一体に回転するので、開栓表示発現手段は初期の状態に復帰することはなく、「開」の表示を維持し続ける。
【００２７】
以上のように、本実施例の開栓表示発現手段によれば、キャップの僅かな回転で開栓表示が発現でき、従来のＴＥバンドによる表示に比べて確実に表示できる。
【００２８】
図５は、キャップ５０が非透明材料で形成されている場合の実施形態を示しており、前記実施形態と同様な部分は同一の符号を付し、相違点のみについて説明する。
本実施形態におけるキャップ５０は、非透明材料で形成され、内蓋１は非透明または透明等任意の材料で形成されている場合に適用できる。
キャップ５０の円筒状スカート壁２２の透視部は窓孔５１となっており、該窓孔の内側面に平行縞を印刷した透明フィルム５２を貼付して窓孔を閉塞している。
一方、内蓋の透視可能領域には、潜像線画を印刷したフィルム５３が貼付されている。しかしながら、透視可能領域に印刷される潜像線画は、直接内蓋の円筒状壁外周面に印刷により形成しても良い。
以上のように、本実施形態のネジ付きキャップは、キャップ５０が透明又は半透明樹脂で形成されてなくても、平行縞を使って開栓表示を発現させることができる。なお、キャップの窓孔に貼付する平行縞が付された透明フィルムは、図５に示すように外側のスカート壁２２の窓孔の裏面に貼付してもよく、窓孔の表面に貼付してもよい。
【００２９】
図６は、本発明に係る容器の他の実施形態の断面図である。本実施形態の容器７０は、キャップ７１と容器本体８０とからなり、キャップ７１は図示のように天面壁７２と円筒状スカート壁７３からなり、スカート壁内周面には雌ネジ７４が形成され、容器口部の円筒状壁８１の外周面に形成された雄ネジ８２と螺合して容器本体８０を密封できるように構成されている。該構成の容器において、本実施形態では、円筒状スカート壁７３に１個又は複数個あるいは全周に透視部７５を設けて、該透視部に図３に示す実施形態と同様に、平行縞３２が直接印刷により、又は透明フィルムにより印刷したものを貼付することにより形成されている。そして、キャップを締めて密封した状態から開封時において、前記透視部７５に対応する円筒状壁８１の位置を透視可能領域８３とし、該透視可能領域に前記実施形態と同様な関係で潜像線画４３を印刷等により形成している。なお、平行縞と潜像線画及び透明平行縞との関係は前記実施形態と同様な手段を採用できる。
【００３０】
本実施形態の容器は以上のように構成され、容器本体の円筒状壁外周面の透視可能領域に、例えば福引や占い、アニメ等のエンターティメント情報の潜像線画を形成することによって、容器の加飾性を高めるとともに、面白さのある容器を得ることができる。
又、図はないが、容器本体に容器自体で密封されていて口部が開口していないもので、開口を形成するための環状スコアがあるものを採用し、キャップと容器にキャップを回転した時にそれぞれ係合する凹凸を設け、その凹凸が係合することで、容器口部のスコアに応力が発生しスコアが破断され、開口が形成される容器とすることも出来る。前記凹凸は、先に述べたキャップと内蓋に採用した不可逆機構をキャップ内面と容器口部外面に採用することもでき、キャップと容器口部が回転に対し一体化した後、キャップと容器口部が係止しあう構成の下方部分に有る環状のスコアが破断され開口が形成されるようにすることでキャップと内蓋を用いなくとも開封明示機能も付加出来る。
例えば、容器口部の先端部近傍の周壁の外周面に図２における内蓋の外周面と同様に内側係止手段を設け、且つその直近下方に周状に環状スコアを形成して、該スコアから上部が破断して容器本体から分離できるようにし、一方、キャップ内周面には前記内側係止手段を設け、キャップを回転させて、内側係止手段と外側係止手段を係合させることによって、容器口部上端部が分離して開口するようにする。
また、不可逆機構を使わずに、前記円筒状スカート壁７３の下端に弱化線を介して公知のＴＥバンドを設け、かつ容器本体にも該ＴＥバンド内周面に形成されたフラップ等が係合する顎部を形成することによって、周知のＴＥバンド機構によるＴＥ性を付加することも可能である。
【００３１】
また、潜像線画を平行縞とおなじ色にすることで平行縞も図柄の一部と見ることが出来る。また、異なる色とすることで、図柄の上を、平行縞が横断する様に見えてしまうが、潜像線画の色の明度が平行縞の明度より高いと、膨張色なので実際には縞より幅が狭くても、そんなに表示が見づらくならないと言う効果もあり、目的によって適宜使い分けることが出来る。
【産業上の利用可能性】
【００３２】
本発明の容器は、キャップに小さい回転で種々の表示を発現でき、加飾性やエンターティメント性を付加することができ、且つこの表示発現手段をＴＥ表示として利用することにより、ＴＥバンドを設ける必要がなく弱化部を切断しないので小さい力で開封することができ、キャップの僅かな回転によって開栓表示が発現するので、ＴＥ性と開栓性に優れ、産業上の利用可能性が高い。また、本発明の容器におけるキャップは、合成樹脂製キャップに限らず金属製キャップにも適用可能である。
【符号の説明】
【００３３】
１  内蓋
１０、５０、７１  キャップ
１１              円筒状壁
１４              軸方向係止突起
１５              係止凸部
１５１、１５２    係止面
１６              係止フラップ
１６１            基部
１６２            係止面
１７、７４        雌ネジ
１８              インナーリング
２１、７２        天面壁
２２、７３        円筒状スカート壁
２３              軸方向係合突起
２４              ナール
２５              第１係合突起
３１、７５        透視部
３２              顕像化用線画（平行縞）
３３              透明平行縞
４１、８３        透視可能領域
４３              潜像線画
４５              潜像
５１              窓孔
５２              透明フィルム
５３              フィルム
６０、８０        容器本体
８１              円筒状壁
８２              雄ネジ
７０              容器
【図１】
2014196118.tif 000003
【図２】
2014196118.tif 000004
【図３】
2014196118.tif 000005
【図４】
2014196118.tif 000006
【図５】
2014196118.tif 000007
【図６】
2014196118.tif 000008